(57)【要約】【課題】特殊寝台のベッドボトムの動きに追従でき、かつ圧力の再分配が可能なマットレスを提供すること。【解決手段】２枚のマットレスを上下に重ね合わせて、上層のマットレス１０の底面の所定部位にドーム状の凹部１１，１３と十文字カット１２を設けるとともに、下層のマットレス２０の上面にも所定部位にドーム状の凹部２３を設ける。さらに、上層下層のマットレス１０，２０のいずれにも、対向する位置に複数箇所蛇腹部１４，２４を形成する。【選択図】図１
2015039619.tif 000002
【特許請求の範囲】
【請求項１】
２枚のマットレスを上下に重ね合わせて構成されたマットレスであって、
上層のマットレスの底面の所定部位にドーム状の凹部と十文字カットを設けるとともに、下層のマットレスの上面にも所定部位にドーム状の凹部を設けたことを特徴とするマットレス。
【請求項２】
前記上層下層のマットレスのいずれにも、対向する位置に複数箇所蛇腹部が形成されていることを特徴とする請求項１記載のマットレス。
【請求項３】
前記上層下層のマットレスはいずれも編織物からなる側地で複合繊維によるクッション層を包み込んだマットレスであり、該クッション層は、熱可塑性弾性樹脂からなる線径が数ミリ以下の連続した線条を曲がりくねらせランダムループが形成され、それぞれのループの接触部の大部分が融着されてなる三次元立体構造網状体で形成されたものであることを特徴とする請求項１又は２いずれか１項記載のマットレス。
【請求項４】
重ね合わせた前記上層下層のマットレスは、さらに全体を包み込むカバーを備え、かつ該カバーの上端部にはベットフレームの上端部を包み込み固定するキャップ部が設けられていることを特徴とする請求項１〜３のいずれか１項記載のマットレス。
【発明の詳細な説明】
【技術分野】
【０００１】  本発明は、病人等が長期にわたって床（とこ）に伏せる場合などに生じる褥瘡を予防するためのマットレスであって、特に特殊寝台のベッドボトム（ベッドフレーム）の動き（背上げ時、伸縮する動き）に追従しやすいマットレスに関するものである。
【背景技術】
【０００２】  通常、寝返りを打てない病人等が長期に渡って床に伏していると、床ずれ（褥瘡）が体に生じる場合がある。床ずれの原因としては、寝返りを打てないことにより寝具からの圧が身体の一定箇所に集中して血行不良が生じることや、体力の衰えや栄養状態の悪化、あるいは汗等による過湿によって細菌の繁殖等が原因といわれている。【０００３】  このような床ずれを防止するため、種々の床ずれ防止用のマットレスやエアマットレスが開発されており、最近の一般的なマットレスとの構造としては、エア（空気）という流動体を用い、例えば単層〜３層程度の断面形状を持ち、細長い袋状になっているエアセルを利用者の左右を横断する形で１０本〜３０本ほど並べて配置して、これらのエアセルにエアポンプからエアを送り込み膨らませて利用するエアマットがある。【０００４】  また、発砲ウレタンを利用して、発砲ウレタンの硬度を身体の部位によって変えたり、或いは硬度の異なるウレタンのマットを重ね合わせて、体圧分散を目的として開発された発泡ウレタン素材のマットレスも床ずれ防止用として一般的に用いられている。【０００５】  さらに新技術として、特許文献１に記載されたような、熱可塑性弾性樹脂からなる線径が数ミリ以下の連続した線条を曲がりくねらせランダムループを形成し、それぞれのループの接触部の大部分が融着されている三次元立体構造網状体で形成されたものをクッション層として用い、その外側を編織物からなる側地で包み込み、クッション層の少なくとも片面の側地の構造が２枚の編織物シートの間にワディング層が挟み込まれてキルティング縫製された構造になっており、クッション層は、熱可塑性弾性樹脂からなる線径が５ｍｍ以下の連続した線条を曲がりくねらせランダムループを形成し、それぞれのループの接触部の大部分が融着されてなる三次元立体構造網状体で形成され、該三次元立体構造網状体は上、下両面が実質的にフラット化されているマットレスが開示されている。【０００６】  このマットレスによれば、編織物の側地に、伸長回復性の良い熱可塑性弾性樹脂からなる線条が融着一体化され表面をフラット化した網状体からなるクッション層を挿入したマットであるので、蒸れ難く寝心地が良好で、耐熱耐久性、形態保持性、クッション性に優れ、折り曲げ性も良好で、火災時に有毒ガスの発生が少なく、雑菌を除去するための洗濯や殺菌ができ、リサイクルし易い一般家庭用、病院用及びホテル用等のベット、敷布団、座蒲団及び、家具用に最適なマットレスを提供できる、としている。【０００７】
【先行技術文献】
【特許文献】
【０００８】
【特許文献１】特開平９−１７０８号公報
【発明の概要】
【発明が解決しようとする課題】
【０００９】  しかしながら、エアセルから構成されたエアマットレス、発泡ウレタンから構成されたマットレス、特許文献１記載の三次元立体構造網状体で形成されたクッション層として用いたマットレスのいずれの場合にも、臀部（骨盤部）を低圧保持させようと、臀部をマットレス内に沈み込ませて全身を低圧で保持させる設計思想では、日本の要介護高齢者の体形的特徴である拘縮や羸痩によって体重の局所への集中すると、身体全体から見れば相対的に体重の重い部位である臀部（体重の４０パーセント以上）が極端に沈み込んでしまう。【００１０】  図５に示すように、上部から重力が加わると、上層のマットレス１０が凹み、押されて下層のマットレス２０が同じように凹んで、すり鉢状になってしまうハンモック現象を発生させ、肝心の体重が集中する臀部の骨突出部の接触圧低減目的に反するという結果を招いてしまうとともに、臀部や骨突出部の底着きが発生する恐れがある。
この点については、一層からなるマットレスにおいても同様の結果となる。【００１１】  また、マットレスを載せる最近のベッドボトム（ベッドフレーム）は、背上げ機構や膝の裏部分を持ち上げる機構等を備えた特殊寝台があり、患者等の要望に添って動かせるようになっているものがある。
このようなベッドボトムに、従来のマットレスを載せると、背上げ時にはマットレスが下方にずれ落ち気味になり応力が発生して、患者の身体との摩擦圧が生じたり、また、ベッドボトムの伸縮にもマットレスが追従せず、ベッドボトムの生み出すリスクに対応することが困難である。
【課題を解決するための手段】
【００１２】  本発明の目的は、上述の課題を解決するためのもので、請求項１記載のマットレスは、２枚のマットレスを上下に重ね合わせて構成されたマットレスであって、上層のマットレスの底面の所定部位にドーム状の凹部と十文字カットを設けるとともに、下層のマットレスの上面にも所定部位にドーム状の凹部を設けたことを特徴としている。【００１３】  請求項２記載の発明は、請求項１記載のマットレスにおいて、上層下層のマットレスのいずれにも、対向する位置に複数箇所蛇腹部が形成されていることを特徴としている。【００１４】  請求項３記載の発明は、請求項１又は２のいずれか１項記載のマットレスにおいて、上層下層のマットレスはいずれも編織物からなる側地で複合繊維によるクッション層を包み込んだマットレスであり、該クッション層は、熱可塑性弾性樹脂からなる線径が数ミリ以下の連続した線条を曲がりくねらせランダムループが形成され、それぞれのループの接触部の大部分が融着されてなる三次元立体構造網状体で形成されたものであることを特徴としている。【００１５】  請求項４記載の発明は、請求項１〜３のいずれか１項記載のマットレスにおいて、重ね合わせた上層下層のマットレスには、さらに全体を包み込むカバーを備え、かつ該カバーの上端部にはベットフレームの上端部を包み込み固定するキャップ部が設けられていることを特徴としている。
【発明の効果】
【００１６】  請求項１記載のマットレスによれば、まず上下に重ね合わせて構成されたマットレスの上層のマットレスの底面の所定部位にドーム状の凹部と十文字カットが設けられているとともに、下層のマットレスの上面にも所定部位にドーム状の凹部が設けられているので、日本の要介護高齢者の体形的特徴である拘縮や羸痩によって体重が身体全体から見れば相対的に体重の重い部位である臀部（体重の４０パーセント以上）へ集中しても、あらかじめマットレスのその部分にドーム状の凹部と十文字カットを施しておけば、体重が集中する骨突出部下の反力を形成させにくい構造であるため、図４（ｂ）に示す矢印Ａに示すように、骨盤部に集中する圧力をほかの身体部位へ移動させ、圧力の再分配をはかることが出来る。【００１７】  請求項２記載のマットレスによれば、上層下層のマットレスのいずれにも、対向する位置に複数箇所蛇腹部分が形成されているので、ベッドボトム（ベッドフレーム）を背上げ等した際にマットレスが屈曲する位置に蛇腹部分形成しておけば、マットレスはベットボトムに追従して屈曲するのでストレスが掛かりにくく、またベッドボトムの剪断力に追従する下層のマットレスと身体を支える上層のマットレスの二層のマットレス内部で動き（ズレ力）を吸収するので、患者に対しても優しい接触感を提供することができる。【００１８】  請求項３記載のマットレスによれぱ、請求項１および２記載のマットレスの効果に加えて、蒸れ難く寝心地が良好で、耐熱耐久性、形態保持性、クッション性に優れ、折り曲げ性も良好で、火災時に有毒ガスの発生が少なく、雑菌を除去するための洗濯や殺菌ができ、リサイクルし易い最適なマットレスを提供することができる【００１９】  さらに請求項４記載のマットレスによれば、重ね合わせた上層下層のマットレス全体を包み込むカバーを備え、かつ該カバーの上端部にはベットフレームの上端部を包み込み固定するキャップ部が設けられているので、キャップ部をベットフレームの上端部に掛けておけば、患者の体重が加わったままで、背上げしてもマットレスがずり落ちしにくいという効果がある。
【図面の簡単な説明】
【００２０】
【図１】本発明に係るマットレスを示し、（ａ）は縦方向の概略断面図を示し、（ｂ）は上層マットレスの底面図、（ｃ）は下層マットレスの上面図である。
【図２】ベッドボトムを屈曲させた時のマットレスの追従状態を示す側面図である。
【図３】本発明に係るマットレスのカバーを示す図で、（ａ）は側面図を示し、（ｂ）は底面図である。
【図４】本発明に係るマットレスの一部断面図で、（ａ）は荷重がかからないときの状態を示し、（ｂ）は荷重がかかったときの力の分散状態を示す図である。
【図５】従来の２層マットレスに荷重がかかったときの力の集中状態を示す図である。
【発明を実施するための形態】
【００２１】  本発明に係るマットレスについて図面を参照しながら説明する。
マットレス１００は上層マットレス１０と下層マットレス２０との重ね合わせたもので、その材質は、たとえばポリエチレン、ポリエステルからなる熱可塑性弾性樹脂を線径が数ミリメートル以下の連続した線条を曲がりくねらせてランダムループを形成し、それぞれのループの接触部の大部分が融着されている三次元立体構造網状体で形成され、該三次元立体構造網状体は上、下両面が実質的に平らに成形されてたものである。
その大きさは、上層下層ともに、長さ約１９００ｍｍ、幅約９００ｍｍ、厚さ約４０ｍｍとしている。
【００２２】  その性質は、内部に隙間が多数形成されているので、蒸れ難く寝心地が良好で、耐熱耐久性、形態保持性、クッション性に優れ、折り曲げ性も良好で、雑菌を除去するための洗濯や殺菌ができ、リサイクルし易い最適なマットレスである。
【００２３】  そして、上層マットレス１０の患者の腰部を支える位置の底面には、図１（ｂ）に示すように、ドーム状の金型を熱して複数の凹部１１を形成する。凹部１１の直径は約８０ｍｍ、深さ約２０ｍｍとし、マットレス１０の横方向に一列に３カ所、その横に並べて４カ所、その横にさらに３カ所設けている。
これら凹部１１に並べて、複数の十文字カット１２が切削されている。
【００２４】  また、上層マットレス１０の患者の脹ら脛や踵からなる足を支える位置の底面には、同じく図１（ｂ）に示すように、ドーム状の金型を熱して複数の凹部１３が形成されている。凹部１３の直径は約６５ｍｍ、深さ約２０ｍｍとし、マットレス１０の横方向に一列に６カ所、その横に並べて５カ所、その横にさらに６カ所設けている。
これら凹部１３に並べて、複数の十文字カット１２が切削されている。特に凹部１３が設けられているところの患者の腰部に近いところにはマットレス１０の左右に渡るように４列の十文字カット１２が多数設けられている。
【００２５】  また、患者の背部を支える位置の底面には、多数の十文字カット１２が切削されている。
【００２６】  さらに、マットレス１０の患者の膝裏位置と腰部より少し頭部に寄った位置に、マットレス１０の左右に渡って蛇腹部１４が形成されているとともに、患者の腰部位置のマットレス１０の左右端部近傍にも蛇腹部１４が形成されている。
【００２７】  次に、下層マットレス２０について説明する。
下層マットレス２０の患者の踵を支える位置の上面には、上層マットレス１０の場合と同様に、図１（ｃ）に示すように、ドーム状の金型を熱して複数の凹部２３が形成されている。凹部２３の直径は約６５ｍｍ、深さ約２０ｍｍ程度で、マットレス２０の横方向に一列に５カ所、その横に並べて４カ所が設けられている。
【００２８】  また、患者の腰部を支える位置の下層マットレス２０の上面には、同じく直径は約６５ｍｍ、深さ約２０ｍｍ程度の凹部２３が、マットレス２０の横方向に一列に４カ所、その横に並べて３カ所、さらに並べて４カ所が設けられている。
【００２９】  さらに、患者の背部を支える位置の下層マットレス２０の上面には、同じく直径は約６５ｍｍ、深さ約２０ｍｍ程度の凹部２３が、マットレス２０の横方向に一列に４カ所、その横に並べて５カ所、さらに並べて４カ所設けられている。
【００３０】  また、下層マットレス２０の患者の膝裏位置と腰部より少し頭部に寄った位置に、上層マットレス１０の蛇腹部１４に対向する位置にも、マットレス２０の左右に渡って蛇腹部２４が形成されているとともに、患者の腰部位置のマットレス２０の左右端部近傍にも蛇腹部２４が形成されている。
【００３１】  上層マットレス１０と下層マットレス２０を重ね合わせて使用し、その一部を断面図で示すと、患者がいない場合は、図４（ａ）のようになり、日本の要介護高齢者の体形的特徴である拘縮や羸痩によって体重が身体全体から見れば相対的に体重の重い部位である臀部へ患者の圧力が集中しても、図４（ｂ）の矢印Ａに示すように、骨盤部に集中する圧力をほかの身体部位へ移動させ、圧力の再分配をはかることが出来る。
【００３２】  また、上述したように上層、下層マットレス１０，２０には蛇腹部１４，２４が設けられているので、上層マットレス１０と下層マットレス２０を重ね合わせて、図２に示す特殊寝台３０に載せ、特殊寝台３０を背上げしてもマットレス１００は蛇腹部１４，２４によって無理なく屈曲し、ストレスを生じさせない。
【００３３】  またさらに、本発明に係るマットレス１００は、重ね合わせた上層下層のマットレス全体を包み込むための、図３に示すようなカバー４０を備えており、該カバー４０の上端部にはベットフレーム３０の上端部を包み込み固定するキャップ部４１が設けられている。このキャップ部４１をベットフレーム３０の上端部に掛けると、背上げ時にもマットレスがずり落ちしにくいという効果がある。
また、キャップ部４１は図３（ｂ）に示すように、ランニングシャツのよう、カットされてたカット部４１ａが形成されているので、マットレス１００を包んだリネンの端を収納するのに好都合となる。
【符号の説明】
【００３４】１０    上層マットレス
１１    ドーム状の凹部
１２    十文字カット
１３    凹部
１４    蛇腹部
２０    下層マットレス
２３    ドーム状の凹部
２４    蛇腹部
３０    ベッドボトム（ベッドフレーム）
４０    カバー
４１    カバーのキャップ部
４１ａ  カット部
１００  マットレス
【図１】
2015039619.tif 000003
【図２】
2015039619.tif 000004
【図３】
2015039619.tif 000005
【図４】
2015039619.tif 000006
【図５】
2015039619.tif 000007